(57)【要約】  【課題】  原稿を電子ファイルとして保存させるときのみでなくマイクロフイルムとして保存させるときにも簡単に利用できるようにすること。  【解決手段】  原稿読取手段１００ａによって読み取った原稿が指示書かアーカイブする原稿かを判別する判別手段１００ｂと、指示書と判別されると該指示書に表された指示内容を取得するユーザ・インターフェース１００ｃと、アーカイブする原稿と判別されると、該原稿を電子ファイル化するファイル生成手段１００ｄと、通信手段１００ｅを備え、指示書の指示内容が電子アーカイブの場合には、通信手段１００ｅを介して送信した電子ファイル化した原稿をネットワーク９０上の保存サーバ２０の所定のディレクトリに保存させ、前記指示書の指示内容がフイルム・アーカイブの場合には、保存サーバ２０に保存された電子ファイル化された原稿をフイルム記録装置３０にダウンロードさせてフイルムに記録させるように構成した。【選択図】  図２
2005217663.tif 000002
【特許請求の範囲】
【請求項１】
原稿を読み取る原稿読取手段と、
前記原稿読取手段によって読み取った原稿の情報に基づいて前記読み取った原稿が所定の指示内容が記述された指示書かアーカイブする原稿かを判別する判別手段と、
前記判別手段によって前記読み取った原稿が指示書と判別されると、該指示書に表された指示内容を取得するユーザ・インタフェースと、
前記判別手段によって前記読み取った原稿がアーカイブする原稿と判別されると、該原稿を電子ファイル化するファイル生成手段と、
前記ユーザ・インタフェースにより取得した指示書の指示内容及び前記ファイル生成手段によって生成した電子ファイル化した原稿を送信する通信手段と、
前記指示書の指示内容が電子アーカイブの場合には、前記通信手段を介して送信した電子ファイル化した原稿をネットワーク上の保存サーバの所定のディレクトリに保存させ、前記指示書の指示内容がフイルム・アーカイブの場合には、前記保存サーバに保存された電子ファイル化された原稿をフイルム記録装置にダウンロードさせてフイルムに記録させる指示内容を前記通信手段に送信させる制御手段と、
を備えたことを特徴とする原稿読取端末装置。
【請求項２】
前記保存サーバに保存された電子ファイルの目録を前記通信手段を介して受信し、該受信した電子ファイルの目録を出力する出力手段を有し、
前記制御手段は、前記指示書の指示内容が目録要求の場合には、前記保存サーバに該当ユーザの電子ファイルの目録を送信させることを特徴とする請求項１に記載の原稿読取端末装置。
【請求項３】
前記出力手段は、前記目録をプリントアウトするプリンタである請求項２に記載の原稿読取端末装置。
【請求項４】
前記指示書には所定の位置にバーコードが印刷されており、前記判別手段は、前記読み取った原稿に前記バーコードが印刷されているか否かによって前記読み取った原稿が指示書かアーカイブする原稿かを判別することを特徴とする請求項１乃至３のいずれかに記載の原稿読取端末装置。
【請求項５】
前記判別手段は、前記読み取ったバーコードに基づいて指示書の種類を判別することを特徴とする請求項４に記載の原稿読取端末装置。
【請求項６】
原稿を読み取る原稿読取手段と、
前記原稿読取手段によって読み取った原稿の情報に基づいて前記読み取った原稿がフイルム・アーカイブの指示内容が記述された指示書かアーカイブする原稿かを判別する判別手段と、
前記判別手段によって前記読み取った原稿が指示書と判別されると、該指示書に表された指示内容を取得するユーザ・インタフェースと、
前記判別手段によって前記読み取った原稿がアーカイブする原稿と判別されると、各原稿ごとに電子ファイル化するファイル生成手段と、
前記ユーザ・インタフェースにより取得した指示書の指示内容及び前記ファイル生成手段によって生成した電子ファイル化した原稿を送信する通信手段と、
前記通信手段を介して送信した電子ファイル化した原稿をネットワーク上のアーカイブ用の保存手段に保存させ、前記指示書の指示内容にしたがって前記保存手段に保存された電子ファイル化された原稿をフイルム記録手段にダウンロードさせてフイルムに記録させる指示内容を前記通信手段に送信させる制御手段と、
を備えたことを特徴とする原稿読取端末装置。
【請求項７】
原稿読取手段によって原稿を読み取る工程と、
前記読み取った原稿の情報に基づいて前記読み取った原稿が所定の指示内容が記述された指示書かアーカイブする原稿かを判別する工程と、
前記読み取った原稿が指示書と判別されると、該指示書に表された指示内容を取得する工程と、
前記読み取った原稿がアーカイブする原稿と判別されると、該原稿を電子ファイル化する工程と、
前記指示書の指示内容が電子アーカイブの場合には、前記電子ファイル化した原稿をネットワーク上の保存サーバに転送して所定のディレクトリに保存させる工程と、
前記指示書の指示内容がフイルム・アーカイブの場合には、前記保存サーバに保存された電子ファイル化された原稿をフイルム記録装置にダウンロードさせてフイルムに記録させる工程と、
を含むことを特徴とするフイルム・アーカイブ方法。
【発明の詳細な説明】
【技術分野】
【０００１】
本発明は原稿読取端末装置に係り、特にアーカイブする原稿を読み取る原稿読取端末装置及び方法に関する。
【背景技術】
【０００２】
情報をデジタルデータとして電子媒体に保存する場合、技術の革新及び変遷が激しいハード、ＯＳ（Operating System）、アプリケーションソフト、フォーマット、規格等に依存せざるを得ないという保存性の問題が指摘されている。すなわち、電子媒体にデジタルデータとして保存した情報は、可視の状態で将来再現できる保障がなく、長期の安全保存を求められる情報の保存には適さない。
【０００３】
そこで、情報を可視の状態でマイクロフイルムに記録して保存する形態が見直され普及してきている。このようなマイクロフイルムに原稿を記録する装置としては、例えば、ＭＤ（Mini Disk）などの電子媒体に電子ファイルとして記録した原稿を取り出して圧縮し、ロール状やシート状のマイクロフイルムに記録するフイルム記録装置が利用されている。
【０００４】
特許文献１には、仕切り板で原稿群を分類し、マイクロフイルムと電子媒体に記録するものが記載されている。
【０００５】
特許文献２には、原稿を読み取りマイクロフイルムに記録するとともに、そのテキストデータのみを外部記憶装置に記憶するものが記載されている。さらに、特許文献２には、外部記憶装置に記憶された電子データのうちのどのファイル（又はどのページ）をマイクロフイルムに記録するかを示す所定のチェック情報が付されたマークシートを読み取り、このマークシートのチェック情報に従って電子データをマイクロフイルムに記録するものが記載されている。
【０００６】
特許文献３には、マイクロフイルムと電子媒体にデータを記憶しておき、電子媒体で情報を検索し、マイクロフイルムにて検収する文書・図面の閲覧方法が記載されている。
【特許文献１】特開平５−１５１２７０号公報
【特許文献２】特開平８−１６７０４３号公報
【特許文献３】特開２００３−２６３４４０号公報
【発明の開示】
【発明が解決しようとする課題】
【０００７】
従来は、一般に、電子媒体を介して、電子ファイル化した原稿をフイルム記録装置に入力しなければ、原稿をマイクロフイルム化することができず、ユーザにとって利便性が悪かった。
【０００８】
また、一般に、電子ファイルとしての保存と、マイクロフイルムとしての保存とを、両立させる装置が提供されておらず、ユーザに不便を強いていた。
【０００９】
本発明はこのような事情に鑑みてなされたもので、原稿を電子ファイルとして保存させるときのみでなく、電子ファイルをマイクロフイルムとして保存させるときにも簡単に利用することができ、ユーザにとって利便性の良い原稿読取装置及び方法を提供することを目的とする。
【課題を解決するための手段】
【００１０】
前記目的を達成するために、請求項１に記載の発明は、原稿を読み取る原稿読取手段と、前記原稿読取手段によって読み取った原稿の情報に基づいて前記読み取った原稿が所定の指示内容が記述された指示書かアーカイブする原稿かを判別する判別手段と、前記判別手段によって前記読み取った原稿が指示書と判別されると、該指示書に表された指示内容を取得するユーザ・インタフェースと、前記判別手段によって前記読み取った原稿がアーカイブする原稿と判別されると、該原稿を電子ファイル化するファイル生成手段と、前記ユーザ・インタフェースにより取得した指示書の指示内容及び前記ファイル生成手段によって生成した電子ファイル化した原稿を送信する通信手段と、前記指示書の指示内容が電子アーカイブの場合には、前記通信手段を介して送信した電子ファイル化した原稿をネットワーク上の保存サーバの所定のディレクトリに保存させ、前記指示書の指示内容がフイルム・アーカイブの場合には、前記保存サーバに保存された電子ファイル化された原稿をフイルム記録装置にダウンロードさせてフイルムに記録させる指示内容を前記通信手段に送信させる制御手段とを備えた構成となっている。
【００１１】
また、請求項２に記載の発明は、請求項１に記載の発明において、前記保存サーバに保存された電子ファイルの目録を前記通信手段を介して受信し、該受信した電子ファイルの目録を出力する出力手段を有し、前記制御手段は、前記指示書の指示内容が目録要求の場合には、前記保存サーバに対して該当ユーザの電子ファイルの目録を送信させる構成となっている。
【００１２】
また、請求項３に記載の発明は、請求項２に記載の発明において、前記出力手段は、前記目録をプリントアウトするプリンタである構成となっている。
【００１３】
また、請求項４に記載の発明は、請求項１乃至３のいずれかに記載の発明において、前記指示書には所定の位置にバーコードが印刷されており、前記判別手段は、前記読み取った原稿に前記バーコードが印刷されているか否かによって前記読み取った原稿が指示書かアーカイブする原稿かを判別する構成となっている。
【００１４】
また、請求項５に記載の発明は、請求項４に記載の発明において、前記判別手段は、前記読み取ったバーコードに基づいて指示書の種類を判別する構成となっている。
【００１５】
また、請求項６に記載の発明は、原稿を読み取る原稿読取手段と、前記原稿読取手段によって読み取った原稿の情報に基づいて前記読み取った原稿がフイルム・アーカイブの指示内容が記述された指示書かアーカイブする原稿かを判別する判別手段と、前記判別手段によって前記読み取った原稿が指示書と判別されると、該指示書に表された指示内容を取得するユーザ・インタフェースと、前記判別手段によって前記読み取った原稿がアーカイブする原稿と判別されると、各原稿ごとに電子ファイル化するファイル生成手段と、前記ユーザ・インタフェースにより取得した指示書の指示内容及び前記ファイル生成手段によって生成した電子ファイル化した原稿を送信する通信手段と、前記通信手段を介して送信した電子ファイル化した原稿をネットワーク上のアーカイブ用の保存手段に保存させ、前記指示書の指示内容にしたがって前記保存手段に保存された電子ファイル化された原稿をフイルム記録手段にダウンロードさせてフイルムに記録させる指示内容を前記通信手段に送信させる制御手段とを備えた構成になっている。
【００１６】
また、請求項７に記載の発明は、原稿読取手段によって原稿を読み取る工程と、前記読み取った原稿の情報に基づいて前記読み取った原稿が所定の指示内容が記述された指示書かアーカイブする原稿かを判別する工程と、前記読み取った原稿が指示書と判別されると、該指示書に表された指示内容を取得する工程と、前記読み取った原稿がアーカイブする原稿と判別されると、該原稿を電子ファイル化する工程と、前記指示書の指示内容が電子アーカイブの場合には、前記電子ファイル化した原稿をネットワーク上の保存サーバに転送して所定のディレクトリに保存させる工程と、前記指示書の指示内容がフイルム・アーカイブの場合には、前記保存サーバに保存された電子ファイル化された原稿をフイルム記録装置にダウンロードさせてフイルムに記録させる工程を含むことを特徴とするフイルム・アーカイブ方法である。
【発明の効果】
【００１７】
本発明によれば、原稿を電子ファイルとして保存させるときのみでなく、電子ファイルをマイクロフイルムとして保存させるときにも簡単に利用することができ、しかも、ユーザにとって利便性を良くすることができる。
【発明を実施するための最良の形態】
【００１８】
以下、添付図面に従って、本発明を実施するための最良の形態について詳細に説明する。
【００１９】
図１は、本発明を適用したフイルム・アーカイブ・システムの概略を示す全体構成図である。
【００２０】
図１において、フイルム・アーカイブ・システムは、主として、デジタル複合機１０（１０ａ、１０ｂ）、電子ファイル保存サーバ２０、フイルム記録装置３０、高速スキャナ４０、管理装置５０、ユーザ端末機６０、及び、デジタル変換装置７０によって構成されている。なお、デジタル複合機１０、電子ファイル保存サーバ２０、フイルム記録装置３０、高速スキャナ４０、管理装置５０、及び、ユーザ端末機６０は、ネットワーク９０によって互いに接続されている。
【００２１】
デジタル複合機１０は、原稿の複写やファクシミリの送信といった機能以外に、所定の指示内容が記述された指示書及びアーカイブ対象の原稿（アーカイブ原稿）の読み取りと、指示書の指示内容及び電子ファイル化した原稿（電子ファイル）の送信を行う機能を有する。
【００２２】
電子ファイル保存サーバ２０は、デジタル複合機１０等から送信された電子ファイルを所定のディレクトリに保存するものである。具体的には、電子ファイルは、電子アーカイブ用のデータベース２０２に格納される。このような電子ファイル化された原稿を保存することを、以下「電子アーカイブ」と称する。また、電子ファイル保存サーバ２０が設置されたサイトを、以下「電子アーカイブサイト」と称する。
【００２３】
フイルム記録装置３０は、電子ファイル化された原稿を可視の状態で圧縮してマイクロフイルム３に記録するものである。このような電子ファイル化された原稿をマクロフイルムへ記録することを、以下「ＭＦ（マイクロフイルム）アーカイブ」と称する。また、フイルム記録装置３０が設置されたサイトを、以下「ＭＦアーカイブサイト」と称する。
【００２４】
高速スキャナ４０は、原稿の読み取りを高速で行う専用機である。この高速スキャナ４０は、デジタル複合機１０と同様に、所定の指示内容が記述された指示書及びアーカイブ対象の原稿の読み取りと、指示書の指示内容及び電子ファイル化した原稿の送信を行うようになっている。
【００２５】
管理装置５０は、所定の管理者が、電子アーカイブ及びＭＦアーカイブの状況を管理するためのものである。例えば、ユーザ認証、重要文書の閲覧や複写の制限、ＭＦアーカイブの承認といったセキュリティに関する機能を有している。
【００２６】
ユーザ端末機６０は、パーソナルコンピュータ等からなり、一般ユーザが電子ファイルとしての原稿を入力するものである。具体的には、ユーザが電子ファイルを作成するための文書編集ソフトウエアを有している。なお、電子ファイルとしての原稿を入力する具体的な手段は、特に限定されず、例えば、キーボード、マウス、音声入力手段などがある。
【００２７】
デジタル変換装置７０は、マイクロフイルム３から画像を読み取って電子ファイルを再現するものである。
【００２８】
なお、デジタル複合機１０には、電子アーカイブサイトを介してＭＦアーカイブサイトを利用する間接型のデジタル複合機１０ａと、電子アーカイブサイトを介さないでＭＦアーカイブサイトを直接的に利用する直接型のデジタル複合機１０ｂとがある。これらの間接型及び直接型のデジタル複合機１０ａ、１０ｂは、実際には、内部構成は同一であり、電子ファイルの送信先が異なっている。すなわち、間接型のデジタル複合機１０ａは、電子アーカイブサイトにある電子ファイル保存サーバ２０にネットワーク９０を介して電子ファイルを送信する一方で、直接型のデジタル複合機１０ｂはＭＦアーカイブサイトにあるフイルム記録装置３０にネットワーク９０を介して電子ファイルを送信する。
【００２９】
指示書としては、具体的には、例えば、電子アーカイブ指示書、目録作成指示書、及び、ＭＦアーカイブ指示書がある。電子アーカイブ指示書は、電子化した原稿である電子ファイルをネットワーク９０上の電子ファイル保存サーバ２０の所定のディレクトリに保存させる旨の指示書である。目録作成指示書は、電子ファイル保存サーバ２０に保存された電子ファイルの一覧からなる目録を作成させる旨の指示書である。ＭＦアーカイブ指示書は、間接型の場合、電子ファイル保存サーバ２０に保存された電子ファイルをフイルム記録装置３０にダウンロードさせてマイクロフイルムに記録させる旨の指示書である。また、ＭＦアーカイブ指示書は、直接型の場合、電子ファイルをフイルム記録装置３０に直接ダウンロードさせて、マイクロフイルムに記録させる旨の指示書である。
【００３０】
なお、指示書は、これらの電子アーカイブ指示書、目録作成指示書及びＭＦアーカイブ指示書に特に限定されるものではなく、別の指示書を更に設けてもよいことはもちろんである。
【００３１】
フイルム記録装置３０は、主として、受付装置３２、編集装置３４、制御装置３６、及び、アーカイブレコーダ３８によって構成されている。
【００３２】
受付装置３２は、ＭＦアーカイブする電子ファイルを受信して受け付ける装置である。
【００３３】
なお、ＭＦアーカイブ対象の電子ファイルの受付態様には、各種ある。第１に、間接型のデジタル複合機１０ａからネットワーク９０を介して電子ファイル保存サーバ２０に送信されて、電子ファイル保存サーバ２０に保存された電子ファイルを、電子ファイル保存サーバ２０からダウンロードする態様がある。第２に、直接型のデジタル複合機１０ｂからネットワーク９０を介して電子ファイルをダウンロードする態様がある。第３に、高速スキャナ４０から送信された電子ファイルを受信する態様がある。第４に、ユーザ端末機６０で元々電子ファイルとして入力され、ユーザ端末機６０から送信された電子ファイルを受信する態様がある。受け付けた各電子ファイルは、後述の編集装置３４による編集処理を待つため、スプール用の記憶手段３２２にスプールされる。
【００３４】
編集装置３４は、受付装置３２のスプール用の記憶手段３２２にスプールされた一群の電子ファイルを、編集用の記憶手段３４２内で、マイクロフイルムに記録する画像データに変換するものである。
【００３５】
制御装置３６は、編集装置３４から出力されたマイクロフイルム記録用の画像データを共有ホルダ３６２に格納することにより、マイクロフイルム記録用の画像データをアーカイブレコーダ３８に与えるものである。
【００３６】
アーカイブレコーダ３８は、共有ホルダ３６２に格納された画像データをマイクロフイルム３に記録するものである。すなわち、電子ファイル化された原稿をマイクロフイルム３に可視の状態にして記録する。
【００３７】
なお、アーカイブレコーダ３８で原稿をマイクロフイルムに記録する際の条件（フイルム・アーカイブ条件）を設定する態様には各種ある。第１に、デジタル複合機１０においてユーザがフイルム・アーカイブ条件を設定し、デジタル複合機１０で設定されたフイルム・アーカイブ条件をデジタル複合機１０が送信し、デジタル複合機１０から送信されたフイルム・アーカイブ条件を受付装置３２が受信する態様がある。第２に、受付装置３２において、ＭＦアーカイブ業者のオペレータがフイルム・アーカイブ条件を設定する態様がある。第３に、管理装置５０において管理者がフイルム・アーカイブ条件を設定し、管理装置５０で設定されたフイルム・アーカイブ条件を管理装置５０が送信し、管理装置５０から送信されたフイルム・アーカイブ条件を受付装置３２が受信する態様がある。第４に、ユーザ端末機６０においてユーザがフイルム・アーカイブ条件を設定し、ユーザ端末機６０で設定されたフイルム・アーカイブ条件をユーザ端末機６０が送信し、ユーザ端末機６０から送信されたフイルム・アーカイブ条件を受付装置３２が受信する態様がある。
【００３８】
フイルム記録装置３０は、設定されたフイルム・アーカイブ条件を満たすようにして、電子ファイルをマイクロフイルム３に記録する。具体的には、編集装置３４が、受付装置３２の受信した電子ファイル化された原稿を、設定されたフイルム・アーカイブ条件を満たすように画像編集を行い、制御装置３６の制御によりアーカイブレコーダ３８がマイクロフイルム３への記録を行う。
【００３９】
設定可能なフイルム・アーカイブ条件の例を下記に示す。
（条件１）ロール状のフイルムに記録するか、シート状のフイルムに記録するか。
（条件２）白黒フイルムに記録するか、又は、カラーフイルムに記録するか。
（条件３）原稿を縦のみで記録するか、又は縦横混在で記録するか。
（条件４）標準のサイズの原稿よりも大きい原稿をフイルムに記録する際に、複数に分割して記録するか、又は、縮小して記録するか。
（条件５）標準のサイズの原稿よりも小さい原稿をフイルムに記録する際に、標準のサイズの原稿を記録するよりも小さく記録するか、又は、標準サイズの原稿と同じサイズになるように拡大して記録するか。
【００４０】
また、フイルム記録装置３０は、電子ファイル化した原稿に関するファイル情報（原稿サイズ、原稿の縦／横、枚数等）と、設定されたフイルム・アーカイブ条件とに基づいて、原稿のＭＦアーカイブ結果を予測する。具体的には、受付装置３２が受信した原稿についてＭＦアーカイブ結果を編集装置３４が予測する。予測されたアーカイブ結果は、受付装置３２からデジタル複合機１０等のＭＦアーカイブの要求元に送信する。
【００４１】
デジタル複合機１０からＭＦアーカイブ指示がされた場合には、受付装置３２からデジタル複合機１０にＭＦアーカイブ結果の予測が送信され、デジタル複合機１０がＭＦアーカイブ結果の予測を受信し、デジタル複合機１０でＭＦアーカイブ結果の予測が出力される。
【００４２】
また、フイルム記録装置３０は、各ユーザごとに予め設定されている期間がある場合には、その各ユーザごとに予め設定されている期間ごとに該当ユーザの原稿をマイクロフイルム３に記録する。
【００４３】
また、フイルム記録装置３０は、各ユーザごとに予め設定されているフイルム・アーカイブ化したときのフイルム使用量又はフイルム・アーカイブする総コマ数がある場合には、そのフイルム使用量又はフイルム・アーカイブする総コマ数が、各ユーザごとに予め設定されている設定値に達すると、該当するユーザの原稿をマイクロフイルムに記録する。
【００４４】
また、電子ファイル保存サーバ２０は、電子ファイルの保存サービス以外にも、保存された電子ファイルの目録を作成する目録作成サービスを提供する。具体的には、デジタル複合機１０などから電子アーカイブの目録を要求する指示（目録作成指示）を受信すると、その指示内容にしたがって電子アーカイブの目録を作成して要求元の装置に送信する。デジタル複合機１０から目録作成指示が送信された場合には、電子ファイル保存サーバ２０は作成した目録を要求元のデジタル複合機１０に送信し、デジタル複合機１０の出力手段１００ｆが目録を出力する。
【００４５】
なお、電子ファイル保存サーバ２０は、目録の送信時にＭＦアーカイブされた原稿か否かを示す識別情報を電子ファイルごとに付加して目録を送信するようになっている。したがって、デジタル複合機１０で出力される目録を見れば、どの原稿がＭＦアーカイブされたかを一覧で知ることができる。
【００４６】
図２は、デジタル複合機１０の概念的な構成を示す概略ブロック図である。
【００４７】
図２において、デジタル複合機１０は、主として、原稿読取手段１００ａ、判別手段１００ｂ、ユーザ・インタフェース１００ｃ、ファイル生成手段１００ｄ、通信手段１００ｅ、出力手段１００ｆ、及び、制御手段１００ｇによって構成されている。
【００４８】
原稿読取手段１００ａは、原稿を読み取るものである。ここで、原稿には、指示書とアーカイブする原稿とがある。
【００４９】
判別手段１００ｂは、原稿読取手段１００ａによって読み取った原稿の情報に基づいて、読み取った原稿が、所定の指示内容が記述された指示書か、アーカイブする原稿かを判別するものである。判別手段１００ｂは、具体的には、原稿の所定位置に所定フォーマットで２次元バーコードが印刷されているか否かによって、読み取った原稿が指示書かアーカイブ対象の原稿かを判別する。また、判別手段１００ｂは、読み取った２次元バーコードに基づいて、指示書の種類を判別する。
【００５０】
ユーザ・インタフェース１００ｃは、判別手段１００ｂによって原稿が指示書と判別されると、該指示書に表された指示内容を取得するものである。ここで、指示内容には、電子アーカイブ条件、目録作成条件、フイルム・アーカイブ条件などが含まれる。指示書が電子アーカイブ指示書である場合には、ユーザ・インタフェース１００ｃにより電子アーカイブ条件が設定される。指示書が目録作成指示書である場合には、ユーザ・インタフェース１００ｃにより目録作成条件が設定される。指示書がＭＦアーカイブ指示書である場合には、ユーザ・インタフェース１００ｃによりフイルム・アーカイブ条件が設定される。
【００５１】
ファイル生成手段１００ｄは、判別手段１００ｂによって原稿がアーカイブする原稿と判別されると、当該原稿を電子ファイル化するものである。
【００５２】
通信手段１００ｅは、ユーザ・インタフェース１００ｃにより取得した指示書の指示内容、及び、ファイル生成手段１００ｄによって生成した電子ファイル化した原稿を送信するものである。指示書が電子アーカイブ指示書である場合には、通信手段１００ｅにより、電子アーカイブ条件を含む電子アーカイブの指示内容が送信される。指示書が目録作成指示書である場合には、通信手段１００ｅにより、目録作成条件を含む目録作成の指示内容が送信される。指示書がＭＦアーカイブ指示書である場合には、通信手段１００ｅにより、フイルム・アーカイブ条件を含むＭＦアーカイブの指示内容が送信される。また、通信手段１００ｅは、目録作成の指示内容を送信した場合、電子ファイル保存サーバ２０から送信される目録を受信する。また、通信手段１００ｅは、ＭＦアーカイブの指示内容を送信した場合、フイルム記録装置３０から送信されるＭＦアーカイブ結果の予測を受信する。
【００５３】
制御手段１００ｇは、通信手段１００ｅにより、各指示書ごとに指示内容をネットワーク９０を介して電子ファイル保存サーバ２０又はフイルム記録装置３０に送信するものである。
【００５４】
間接型のデジタル複合機１０ａにおいては、制御手段１００ｇは、指示書が電子アーカイブ指示書の場合には、通信手段１００ｅにより送信された電子ファイル化された原稿を、ネットワーク９０上の電子ファイル保存サーバ２０の所定のディレクトリに保存させ、指示書がＭＦアーカイブ指示書の場合には、電子ファイル保存サーバ２０に保存された電子ファイル化された原稿を、フイルム記録装置３０にダウンロードさせてマイクロフイルムに記録させるように、通信手段１００ｅに指示内容を送信させる。
【００５５】
直接型のデジタル複合機１０ｂにおいては、制御手段１００ｇは、通信手段１００ｅにより送信した電子ファイル化した原稿を、ネットワーク９０上の受付装置３２に保存させ、受付装置３２に保存された電子ファイル化された原稿を、アーカイブレコーダ３８にマイクロフイルムに記録させるように、通信手段１００ｅに指示内容を送信させる。
【００５６】
出力手段１００ｆは、通信手段１００ｅにより受信された目録を出力する。また、出力手段１００ｆは、通信手段１００ｅにより受信されたＭＦアーカイブ結果の予測を出力する。
【００５７】
図３は、デジタル複合機１０の具体的な構成の例を示す概略ブロック図である。
【００５８】
図３において、デジタル複合機１０は、主として、原稿を読み取るスキャナ１１と、マイクロプロセッサからなる制御部１２と、ネットワーク９０を介した通信が可能なネットワークインタフェース１３と、プリント媒体に情報を記録するプリンタ１４と、液晶ディスプレイ、タッチパネル及び各種の操作ボタンを有する操作パネル１５と、メモリ１６によって構成されている。
【００５９】
図２と図３との対応関係を簡単に説明すると、図２の原稿読取手段１００ａは図３の主としてスキャナ１１によって構成され、図２の判別手段１００ｂは図３の主として制御部１２によって構成され、図２のユーザ・インタフェース１００ｃは図３の主としてスキャナ１１及び制御部１２によって構成され、図２のファイル生成手段１００ｄは図３の主として制御部１２によって構成され、図２の通信手段１００ｅは図３の主としてネットワークインタフェース１３によって構成され、図２の出力手段１００ｆは図３の主としてプリンタ１４及び操作パネル１５によって構成され、図２の制御手段１００ｇは図３の主として制御部１２によって構成されている。
【００６０】
図４は、電子アーカイブ指示書８１の例を示す。図４において、２次元バーコード８１２は、用紙が特定のフォーマットの電子アーカイブ指示書であることを示す。「管理年度」欄８１３、「対象図書」欄８１４及び「資料名」欄８１５の各欄には、それぞれチェックボックスが設けられている。各欄内の各チェックボックスに対応する各項目は、原稿を読み取って得た一群の電子ファイルを格納すべきホルダに対応している。例えば、「２００３年度」、「完成報告書Ａ」及び「購入仕様書」の各チェックボックスが全てチェックされている場合には、電子ファイル保存サーバ２０において「２００３年度」ホルダの下位ホルダである「完成報告書Ａ」ホルダの更に下位ホルダである「購入仕様書」ホルダ内に、デジタル複合機１０で読み取って得られた一群の電子ファイルが格納される。また、「承認日」欄８１６は、アーカイブの承認が得られた年月日を記入する欄である。また、「資料番号」欄８１７は、ＭＦアーカイブの際に一群の電子ファイルをまとめて取り出すときにその電子ファイルの索引情報として用いられる。なお、電子アーカイブ指示書は、特に図４に示す例に限定されるものではない。
【００６１】
図５は、目録作成指示書８２の例を示す。図５において、２次元バーコード８２２は、用紙が特定のフォーマットの目録作成指示書であることを示す。「検索条件設定」欄８２４は、目録を作成する際の電子ファイルを検索する条件を設定するための欄である。「対象図書選択」欄８２５は検索対象のディレクトリを設定するための欄である。また、「対象図書抽出パターン」欄８２６は、更に詳細に条件を設定するためのものである。例えば、「完成フラグ」が設定された電子ファイルのみ検索する、「最新版のみ」検索する、「承認フラグ」が設定された電子ファイルのみ検索する、などの検索条件の設定をすることができる。なお、目録作成指示書は、特に図５に示す例に限定されるものではない。
【００６２】
図６は、マイクロフイルムアーカイブ指示書８３の例を示す。図６において、２次元バーコード８３２は、用紙が特定のフォーマットのマイクロフイルムアーカイブ指示書であることを示す。フイルム出力フォーマット選択欄８３４には、マイクロフイルムの出力フォーマットをユーザが選択するためのチェックボックスが設けられている。図６においては、「ロール」状（１６ｍｍ）及び「シート」状（ＦＩＣＨＥ）、「縦のみ」及び「縦横混在」を選択可能になっている。すなわち、「Ｔｙｐｅ２」のチェックボックスがチェックされている場合にはロール状のマイクロフイルムに縦方向のみで記録し、「Ｔｙｐｅ４」のチェックボックスがチェックされている場合にはロール状のマイクロフイルムに縦方向及び横方向の混在で記録し、「Ｔｙｐｅ５」のチェックボックスがチェックされている場合にはシート状のマイクロフイルムに縦方向のみで記録し、「Ｔｙｐｅ６」のチェックボックスがチェックされている場合にはシート状のマイクロフイルムに縦方向及び横方向の混在で記録する。
【００６３】
フイルムタイトルコマ指定欄８３６には、フイルムタイトルコマへの表示内容を、「資料番号」で指定するようになっている。
【００６４】
このようなマイクロフイルムアーカイブ指示書８３において、２次元バーコード８３２、出力フォーマット指定欄８３４のチェックボックスのチェック情報、及び、手書きの資料番号が、デジタル複合機１０の原稿読み取り手段１００ａによって読み取られて、判別手段１００ｂによってそれぞれデコードされて判別されることにより、ＭＦアーカイブすべき電子ファイルが特定されるとともに、出力フォーマットが取得される。なお、マイクロフイルムアーカイブ指示書は、特に図６に示す例に限定されるものではない。
【００６５】
図７は、ロール状のマイクロフイルムの例を示す。このマイクロフイルム３ａには下記の情報が記録されている。
（１）編集処理を実施した年、月、日、時、分
（２）件名及び内容
（３）フイルム管理情報
（４）先頭コマの索引内容
（５）最終コマの索引内容
（６）ジョブ内のフイルム通し番号
（７）インデックスデータ
（８）管理情報
（９）ＭＦアーカイブした原稿
（１０）フイルム継続情報（「始」、「続」、「終」）
なお、図７のマイクロフイルム３ａは縦横混在で記録するタイプの出力フォーマットで原稿を可視の状態で記録したものである。
【００６６】
図８は、シート状のマイクロフイルムの例を示す。このマイクロフイルム３ｂには下記の情報が記録されている。
（１）編集処理を実施した年、月、日、時、分
（２）件名及び内容
（３）フイルム管理情報
（４）先頭コマの索引内容
（５）最終コマの索引内容
（６）ジョブ内のフイルム通し番号
（７）インデックスデータ
（８）ＭＦアーカイブした原稿
なお、図８のマイクロフイルム３ｂは縦横混在で記録するタイプの出力フォーマットで原稿を可視の状態で記録したものである。
【００６７】
次に、サービス処理の概略フローを図９乃至図１３に示す。
【００６８】
図９は、間接型における原稿読み取りから電子ファイル作成までの処理の流れを示す。
【００６９】
まず、デジタル複合機１０において原稿が読み取られる（Ｓ１０２）。具体的には、デジタル複合機１０のスキャナ１１により１枚ごとに原稿上に表された情報が読み取られる。ここで、原稿には、前述したように、電子アーカイブ指示書、ＭＦアーカイブ指示書等の指示書と、アーカイブする原稿とがある。なお、電子アーカイブ指示書の場合には、一般に、その電子アーカイブ指示書に続いてアーカイブ対象の原稿が読み取られる。電子アーカイブした原稿に対してＭＦアーカイブを指示するＭＦアーカイブ指示書の場合には、既に電子アーカイブ指示書に続いてアーカイブ対象の原稿が読み取られているので、一般に、そのＭＦアーカイブ指示書にアーカイブ対象の原稿は続かないで原稿読取が終了する。一方で、電子アーカイブ指示書、ＭＦアーカイブ指示書、及び、アーカイブ対象の原稿を連続して読み取らせて、電子アーカイブとＭＦアーカイブとを両方指示することも可能である。
【００７０】
原稿が読み取られると、スキャナ１１により読み取った原稿上に表された情報に基づいて、読み取った原稿が所定の指示内容が記述された指示書であるか、アーカイブ対象の原稿であるかが判別される（Ｓ１０４）。具体的には、読み取った原稿の予め決められた所定の位置に予め決められた所定のフォーマットで２次元バーコードが印刷されているか否かを判別することにより、指示書であるか否かを判別する。
【００７１】
読み取った原稿が指示書であると判別されると、更に、指示書上に表された指示内容を判別する（Ｓ１１２）。具体的には、第１に、２次元バーコードをデコードして、電子アーカイブ指示書、ＭＦアーカイブ指示書等の指示書の種類を判別することにより、指示書の概略の指示内容を取得する。第２に、指示書の種類ごとに所定位置に設けられたチェックボックスのチェックの有無を認識して、そのチェックの有無により詳細な指示内容を取得する。図４に示す電子アーカイブ指示書８１の場合には、「管理年度」欄８１３、「対象図書」欄８１４、「資料名」欄８１５の各欄内に設けられたチェックボックスのチェックの有無により、電子ファイル化して保存する原稿の保存場所を特定する。また、図６に示すＭＦアーカイブ指示書８３の場合には、フイルムタイプ、記録画像配置などのフイルム出力フォーマット選択欄８３４内に設けられたチェックボックスのチェックの有無により、原稿の保存先のマイクロフイルム３を特定する。第３に、指示書の種類ごとに所定位置に設けられた手書き文字欄の手書き文字列を認識して、その文字列により詳細な指示内容を取得する。図４に示す電子アーカイブ指示書８１の場合には、「承認日」欄８１６及び「資料番号」欄８１７内の情報を取得する。図６に示すＭＦアーカイブ指示書８３の場合には、「資料番号」欄８３６内の資料番号と図４の電子アーカイブ指示書８１の「資料番号」欄８１７で既に指定された資料番号とにより、マイクロフイルム３に記録する電子ファイルを特定する。
【００７２】
判別した指示内容は、デジタル複合機１０のメモリ１６に一時記憶し（Ｓ１１４）、指示内容に基づく各種設定処理を行い（Ｓ１１６）、指示書読取の処理を終了する（Ｓ１１８）。
【００７３】
指示書読取の処理を終了すると、次原稿が有るか否かを判定し（Ｓ１３０）、次原稿がない場合には指示書内容の実行のステップ（Ｓ１４０）に進み、次原稿がある場合には再び原稿の読取のステップ（Ｓ１０２）に戻る。
【００７４】
原稿の読取のステップ（Ｓ１０２）で、先に読み取られた指示書とは別に更に新しい指示書が読み取られた場合には、更に新しい指示書について、指示内容の判別（Ｓ１１２）、指示内容の記憶（Ｓ１１４）、及び、指示内容に基づく設定（Ｓ１１６）を行う。例えば、電子アーカイブ指示書に続いてＭＦアーカイブ指示書が読み取られた場合には、両指示書の指示内容がデジタル複合機１０のメモリ１６にスタックされ、両指示書の指示内容に基づく設定がそれぞれなされる。そして新しい指示書読取の処理を終了すると、次原稿が有るか否かを判定し（Ｓ１３０）、次原稿がない場合には指示書内容の実行のステップ（Ｓ１４０）に進み、次原稿がある場合には再び原稿の読取のステップ（Ｓ１０２）に戻る。
【００７５】
読み取った原稿がアーカイブする原稿であると判別されると、原稿のサイズ判別（Ｓ１２２）、及び、原稿の縦横判別（Ｓ１２４）を行い、属性情報（ここでは原稿サイズ及び原稿の縦横）を生成し（Ｓ１２６）、属性情報付きの電子ファイルを生成する（Ｓ１２８）。なお、電子ファイルの生成は、各原稿ごとに（すなわち個々のページごとに）それぞれ独立した電子ファイルにする場合と、複数枚の原稿からなるグループごとに（すなわち複数ページで）１つの電子ファイルにする場合とがある。以下では、各原稿ごとに電子ファイル化したものとして説明する。
【００７６】
電子ファイルの生成を終了すると、次原稿が有るか否かを判定し（Ｓ１３０）、次原稿がある場合には、再び原稿の読取のステップ（Ｓ１０２）に戻り、次原稿がない場合には、指示書内容の実行のステップ（Ｓ１４０）に進む。
【００７７】
なお、２種類以上の指示書が添付され読み取られていた場合には、２種類以上の指示書の指示内容がメモリ１６にスタックされており、各指示書の指示内容についてそれぞれ所定のタイミングで処理が実施されることになる。
【００７８】
図１０は、指示書内容が電子アーカイブ指示である場合における指示書内容の実行の処理（Ｓ１４０）について、詳細な流れを示す。
【００７９】
まず、指示書の指示内容に基づいて、電子ファイルの保存先として指定されたディレクトリパスを取得する（Ｓ２０２）。具体的には、図４に示す電子アーカイブ指示書の場合には、「管理年度」８１３、「対象図書」８１４及び「資料名」８１５の各欄に設けられたチェックボックスのチェックの有無によりディレクトリパスを特定する。次に、そのディレクトリパスに対応するディレクトリが作成されているかを判別する（Ｓ２０４）。具体的には、電子ファイル保存サーバ２０に問い合わせて当該ディレクトリの有無を確認する。指定されたディレクトリが作成されていない場合には、指定されたディレクトリを新規に作成する（Ｓ２０６）。具体的には、電子ファイル保存サーバ２０にディレクトリを新規に作成させる。次に、デジタル複合機１０から電子ファイル保存サーバ２０に保存先を指定して電子ファイルを転送し、電子ファイル保存サーバ２０により電子ファイルを所定の形式で所定のディレクトリに保存させる（Ｓ２０８）。このとき、原稿サイズ及び原稿の向き（縦横）の他に、読取解像度、階調、カラー／白黒、読取日時、読取装置の識別情報等が属性情報として電子ファイルに付加されて、この属性情報付きの電子ファイルが、デジタル複合機１０から電子ファイル保存サーバ２０に転送されて電子ファイル保存サーバ２０によって保存される。
【００８０】
指定されたディレクトリにファイル保存を完了すると、「保存完了レポート」が出力される（Ｓ２１０）。具体的には、書誌事項（タイトル、保存先ディレクトリ、原稿枚数、保存日時など）と、指示書及びアーカイブ原稿の一枚目の縮小画像（サムネイル）が組み合わされた保存完了レポートがデジタル複合機１０でプリント出力される。
【００８１】
図１１は、指示書内容がＭＦアーカイブ指示である場合における指示書内容の実行の処理（Ｓ１４０）について、詳細な流れを示す。
【００８２】
まず、メモリ１６に一時記憶しておいた指示内容を取得する（Ｓ３０２）。具体的には、フイルムタイプ（ロール状かシート状かなど）、記録画像配置（縦のみか縦横混在かなど）、白黒かカラーか、といったフイルム・アーカイブ条件と、ディレクトリを特定するために必要な情報（資料番号など）を取得する。
【００８３】
次に、当該ディレクトリの有無を判定し（Ｓ３０４）、ディレクトリが無い場合には、エラー表示をする（Ｓ３０６）。図６に示すＭＦアーカイブ指示書の場合には、資料番号に基づいて、その資料番号に対応する電子ファイルが格納されたディレクトリを、電子ファイル保存サーバ２０により、検索する。
【００８４】
次に、ファイル情報を取得し（Ｓ３０８）、ＭＦアーカイブ結果の予測を行い（Ｓ３１０）、予測結果を表示する（Ｓ３１２）。具体的には、ファイル情報として、マイクロフイルム化する電子ファイルの属性情報（原稿サイズ、原稿の縦横）及びファイル数等を取得する。そして、ファイル情報、及び、予め設定されたフイルムアーカイブ条件（フイルムタイプ、記録画像配置など）に基づいて、マイクロフイルムにしたときのコマ数（総枚数）、必要リール数等を計算し、その計算結果を予測結果としてユーザに対して表示する。例えば、ファイル情報及びフイルムアーカイブ条件を電子ファイル保存サーバ２０がフイルム記録装置３０に転送し、フイルム記録装置３０で予測したアーカイブ結果を電子ファイル保存サーバ２０がデジタル複合機１０に転送し、デジタル複合機１０の操作パネル１５で予測結果を表示する。電子ファイル保存サーバ２０又はデジタル複合機１０自体が予測するようにしてもよい。
【００８５】
予測したＭＦアーカイブ結果を表示した後、ＭＦアーカイブを実行するか否かの指示操作を受け付けて（Ｓ３１４）、ＭＦアーカイブを実行しない場合には、フイルム・アーカイブ条件の変更の指示操作を受け付けて（Ｓ３１６）、再度、ファイル情報の取得（Ｓ３０８）、アーカイブ予測（Ｓ３１０）及び予測結果の表示（Ｓ３１２）を行う。
【００８６】
ＭＦアーカイブを実行する場合には、電子ファイル保存サーバ２０に保存された電子ファイル化された原稿をフイルム記録装置３０にダウンロードさせて、フイルム記憶装置３０にファイル変換を行わせる（Ｓ３２２）。具体的には、マイクロフイルム化の指定をされた電子ファイルが所定の条件を満たしているかチェックし、必要に応じてファイル情報及びフイルム・アーカイブ条件に基づいてファイル変換を実施する。例えば、カラーの電子ファイルを白黒のマイクロフイルムに記録する場合には、２階調化を行う。この際に、オリジナルの電子ファイルはそのまま残しておく。フイルムアーカイブ条件その他の指定条件は別ファイルにして管理する（Ｓ３２４）。マイクロ化の指定条件としては、フイルムタイプ、記録画像配置（縦のみ／縦横混在）、縮小／分割、証明書の有無、マイクロフイルムのタイトル等がある。これらのマイクロ化の指定条件を別ファイルにして追加する。そして、フイルム記録装置３０により原稿をマイクロフイルムに記録させる（Ｓ３２４）。
【００８７】
図１２及び図１３は、直接型のＭＦアーカイブ指示を与える場合における処理の流れを示す。
【００８８】
なお、図１２に示すステップ１０２からステップ１３０までは、図９に示した前述の各ステップと同じ処理内容であり、詳細な説明を省略する。また、原稿は、ＭＦアーカイブ指示が記述されたＭＦアーカイブ指示書とアーカイブ対象の複数枚の原稿とが読み込まれたものとして以下説明する。
【００８９】
全ての原稿の読み取りが終了し次原稿が無くなると、ファイル情報を取得し（Ｓ４０８）、ＭＦアーカイブ結果を予測し（Ｓ４１０）、予測結果を表示する（Ｓ４１２）。具体的には、ファイル情報として、マイクロフイルム化する電子ファイルの属性情報（原稿サイズ、原稿の縦横）及びファイル数等を取得する。そして、ファイル情報、及び、予め設定されたフイルム・アーカイブ条件（フイルムタイプ、記録画像配置など）に基づいて、マイクロフイルムにしたときのコマ数（総枚数）、必要リール数等を計算し、その計算結果を予測結果としてユーザに対して表示する。例えば、ファイル情報及びフイルムアーカイブ条件をデジタル複合機１０からフイルム記録装置３０に送信し、フイルム記録装置３０が予測したアーカイブ結果をデジタル複合機１０に返送し、デジタル複合機１０の操作パネル１５で予測結果を表示する。デジタル複合機１０自体が予測するようにしてもよい。
【００９０】
予測したＭＦアーカイブ結果を表示した後、ＭＦアーカイブを実行するか否かの指示操作を受け付けて（Ｓ４１４）、ＭＦアーカイブを実行しない場合には、フイルム・アーカイブ条件の変更の指示操作を受け付けて（Ｓ４１６）、再度、ファイル情報の取得（Ｓ４０８）、アーカイブ予測（Ｓ４１０）及び予測結果の表示（Ｓ４１２）を行う。ＭＦアーカイブを実行する場合には、フイルム記憶装置３０にファイルを変換を行わせて（Ｓ４２２）、マイクロフイルム化の指定条件は別ファイルにして管理する（Ｓ４２４）。そして、フイルム記録装置３０により原稿をマイクロフイルムに記録させる（Ｓ４２６）。
【００９１】
本実施形態のフイルム・アーカイブ・システムによれば、図１４に示すように、デジタル複合機１０ａで読み取って電子化した原稿（スキャンド・デジタルの原稿）、及び、ユーザ端末機６０で電子ファイルとして入力した原稿（ボーン・デジタルの原稿）を、インターネット９０を介して電子アーカイブサイトに配置された電子ファイル保存サーバ２０によって電子アーカイブとして保存し、その後、必要に応じて、ＭＦアーカイブサイトに配置されたフイルム記録装置３０によってＭＦアーカイブとしてマイクロ保存することができる。また、ＭＦアーカイブを指示する前後に目録作成指示を行って目録を作成することができる。
【００９２】
図１５は、前述のスキャンド・デジタル及びボーン・デジタルの原稿を、電子ファイル保存サーバ２０にアップロードする際に通信経路をＳＳＬなどにより暗号化して転送するとともに、電子ファイル保存サーバ２０からフイルム記録装置３０にダウンロードする際にも通信経路をＳＳＬ（Secure Socket Layer）などにより暗号化して転送する様子を図示したものである。なお、原稿が記録されたマイクロフイルムは、ユーザが指定した配送先に、輸送機関によって配送されるようになっている。
【００９３】
なお、図９乃至図１３を用いて、指示書が、電子アーカイブ指示書、又は、ＭＦアーカイブ指示書である場合について、処理の流れを説明したが、図５に示す目録作成指示書により、電子ファイル保存サーバ２０に保存された電子ファイルの目録の作成を指示することができるのはもちろんである。
【００９４】
また、例えば、電子ファイル化されて電子ファイル保存サーバ２０に保存された原稿を、デジタル複合機１０でプリント出力する際に、指示書を用いてプリント出力指示を与えてもよい。この場合、ＭＦアーカイブ済みの原稿については、用紙の隅にＭＦアーカイブ済みを示すマークを記録するようにしてもよい。
【００９５】
また、前述した、指示書の指示内容、ファイル情報、フイルム・アーカイブ条件、及び、ＭＦアーカイブの予測結果についての個別具体的に示した項目は例示であり、前述した以外にも、本発明の趣旨を逸脱しない範囲で、他の項目を含めてよいことはもちろんである。
【００９６】
例えば、ファイル情報が、原データの形式を含み、このような原データの形式も電子ファイルとともに情報として保存するようにしてもよい。例えば、ＭＦアーカイブする際の画像編集処理に用いたり、原データを再現する際に利用するようにしてもよい。
【００９７】
また、図９乃至図１３を用いて、指示書を用いて電子アーカイブ指示、ＭＦアーカイブ指示などの指示を与える場合について説明したが、本発明はこのような場合に限定されるものではない。例えば、デジタル複合機１０の操作パネル１５により、タッチパネル操作やボタン操作により、指示書と同様に、電子アーカイブ指示、ＭＦアーカイブ指示などの指示を与えることができる。
【００９８】
また、図９乃至図１３を用いて、デジタル複合機１０によりスキャンしてデジタル化した原稿をマイクロフイルムに記録する場合について説明したが、本発明はこれに限るものではない。
【００９９】
例えば、図１に示す原稿読み取り専用の高速スキャナ４０によりスキャンしてデジタル化した原稿をマイクロフイルム３に記録する場合に本発明を適用することができる。
【０１００】
また、図１に示すパーソナルコンピュータ等のユーザ端末機６０で入力されて元々デジタルとして生成された電子ファイルを、電子ファイル保存サーバ２０に電子アーカイブさせ、マイクロフイルムを生成する際に、マイクロフイルム化すべき電子ファイルを電子ファイル保存サーバ２０からフイルム記録装置３０へ転送させて、フイルム記録装置３０によりマイクロフイルムに記録させる場合にも、本発明を適用することができる。
【図面の簡単な説明】
【０１０１】
【図１】本発明を適用したフイルム・アーカイブ・システムの概略を示す全体構成図
【図２】本発明を適用したデジタル複合機の概念的な内部構成の例を示す概略ブロック図
【図３】本発明を適用したデジタル複合機の具体的な内部構成の例を示す概略ブロック図
【図４】電子アーカイブ指示書の例を示す図
【図５】目録作成指示書の例を示す図
【図６】マイクロフイルムアーカイブ指示書の例を示す図
【図７】ロール状のマイクロフイルムの例を示す図
【図８】シート状のマイクロフイルムの例を示す図
【図９】間接型の原稿読取における処理の流れを示すフローチャート
【図１０】間接型の電子アーカイブ指示における処理の流れを示すフローチャート
【図１１】間接型のマイクロフイルムアーカイブ指示における処理の流れを示すフローチャート
【図１２】直接型の原稿読取における処理の流れを示すフローチャート
【図１３】直接型のマイクロフイルムアーカイブ指示における処理の流れを示すフローチャート
【図１４】本実施形態のフイルム・アーカイブ・システムによるアーカイブを総括して説明するために用いる説明図
【図１５】通信経路のセキュリティを保障したサービス提供の説明に用いる説明図
【符号の説明】
【０１０２】
１０、１０ａ、１０ｂ…デジタル複合機、２０…電子ファイル保存サーバ、３０…フイルム記録装置、３２…受付装置（保存手段）、３４…編集装置、３６…制御装置、３８…アーカイブレコーダ（フイルム記録手段）、４０…高速スキャナ、５０…管理装置、６０…ユーザ端末機、７０…デジタル変換装置、１００ａ…デジタル複合機の原稿読取手段、１００ｂ…デジタル複合機の判別手段、１００ｃ…デジタル複合機のユーザインタフェース、１００ｄ…デジタル複合機のファイル生成手段、１００ｅ…デジタル複合機の通信手段、１００ｆ…出力手段、１００ｇ…デジタル複合機の制御手段
【図１】
2005217663.tif 000003
【図２】
2005217663.tif 000004
【図３】
2005217663.tif 000005
【図４】
2005217663.tif 000006
【図５】
2005217663.tif 000007
【図６】
2005217663.tif 000008
【図７】
2005217663.tif 000009
【図８】
2005217663.tif 000010
【図９】
2005217663.tif 000011
【図１０】
2005217663.tif 000012
【図１１】
2005217663.tif 000013
【図１２】
2005217663.tif 000014
【図１３】
2005217663.tif 000015
【図１４】
2005217663.tif 000016
【図１５】
2005217663.tif 000017